(57)【要約】  エレベーターの乗場案内装置は、各階床に設けられ、乗場操作盤２の位置を知らせる誘導音Ａを発報するとともに、乗場呼び登録の入力を受け付ける、乗場操作盤２と、エレベーター号機ごとに各階床の乗場に設けられ、当該乗場の位置を知らせる誘導音Ｂを発報する誘導音発生装置３とを備え、乗場操作盤２に対して乗場呼び登録の入力があった場合に、当該乗場呼び登録に対して割り当てられたエレベーター号機に対応して設置された誘導音発生装置３から誘導音Ｂを発報する。
2019058551.tif 000002
【特許請求の範囲】
【請求項１】
各階床に設けられ、乗場呼び登録の入力を受け付ける乗場操作盤と、
エレベーター号機ごとに各階床の乗場に設けられ、前記乗場の位置を知らせるための第一の誘導音を発報する誘導音発生装置と
を備え、
前記乗場操作盤に対して前記乗場呼び登録の入力があった場合に、当該乗場呼び登録に対して割り当てられたエレベーター号機に対応する前記誘導音発生装置が、前記第一の誘導音を発報する、
エレベーターの乗場案内装置。
【請求項２】
前記第一の誘導音は、サイン音から構成される、
請求項１に記載のエレベーターの乗場案内装置。
【請求項３】
前記第一の誘導音は、音声メッセージ、または、音声メッセージとサイン音との組み合わせから構成される、
請求項１に記載のエレベーターの乗場案内装置。
【請求項４】
前記乗場操作盤は、前記乗場操作盤の設置位置を知らせるための第二の誘導音を発報するものであって、
前記乗場操作盤は、前記第二の誘導音を発報しているときに、前記乗場呼び登録の入力を受け付けた場合に、前記第二の誘導音の発報を一時的に停止させ、
予め設定された条件が満たされた場合に、前記第二の誘導音の発報を再開する、
請求項１から３までのいずれか１項に記載のエレベーターの乗場案内装置。
【請求項５】
前記第二の誘導音は、サイン音から構成される、
請求項４に記載のエレベーターの乗場案内装置。
【請求項６】
前記第一の誘導音は、予め設定された第一の周期で繰り返し発報され、
前記第二の誘導音は、前記第一の周期とは異なる予め設定された第二の周期で繰り返し発報される、
請求項４または５に記載のエレベーターの乗場案内装置。
【請求項７】
前記第一の誘導音は、予め設定された第一の開始タイミングで発報が開始され、予め設定された第一の周期で繰り返し発報され、
前記第二の誘導音は、予め設定された第二の開始タイミングで発報が開始され、前記第一の周期で繰り返し発報され、
前記第一の開始タイミングは、前記第二の開始タイミングに対して、予め設定されたシフト量だけシフトされている、
請求項４または５に記載のエレベーターの乗場案内装置。
【請求項８】
請求項１から７までのいずれか１項に記載のエレベーターの乗場案内装置を備えたエレベーター。
【発明の詳細な説明】
【技術分野】
【０００１】
この発明はエレベーターおよびエレベーターの乗場案内装置に関し、特に、エレベーターの利用者に対して乗場への案内を行うエレベーターおよびエレベーターの乗場案内装置に関する。
【背景技術】
【０００２】
エレベーターの利用者に対して音声メッセージにより乗場を案内する装置が提案されている（例えば、特許文献１および特許文献２参照）。【０００３】
特許文献１に記載の従来装置においては、エレベーター号機ごとにスピーカー装置が配置されている。そうして、サービス要求があった階床に対して、１つのエレベーター号機が割り当てられると、当該エレベーター号機に対応するスピーカー装置が選択される。そして、選択されたスピーカー装置から、当該エレベーター号機のかごが到着することを示す音声メッセージが出力される。【０００４】
特許文献２に記載の従来装置においては、乗場に設置された行き先階登録装置に、身体障がい者通知ボタンが設けられている。利用者によって身体障がい者通知ボタンが操作された場合に、身体障がい者に配慮した音声案内が行われる。当該音声案内の内容は、例えば「優先乗車の方が来られます。ドアの前を開けてお待ち下さい。」というような、利用者の優先乗車を促すものである。
【先行技術文献】
【特許文献】
【０００５】
【特許文献１】特開平８−２６８６５６号公報
【特許文献２】特開２０１５−２１４４１６号公報
【発明の概要】
【発明が解決しようとする課題】
【０００６】
しかしながら、従来技術には、以下のような課題がある。特許文献１及び特許文献２に記載の従来装置は、音声メッセージでの案内が行われている。従って、音声内容を理解できる人に対しては、有効な誘導案内を提供することができる。その一方で、例えば、言語の違いにより、利用者によっては音声による案内が理解できない場合が発生するという課題があった。また、多言語に対応可能にする場合には、言語別・内容別にアナウンス音源が必要となり、データ量が増えるという課題があった。さらに、音声案内では、乗場が混雑した場合に、音声案内の声が、乗客の声に混ざって聞き取りにくい場合が発生するという課題があった。【０００７】
この発明は、かかる課題を解決するためになされたものであり、言語の違いに関わらず、乗場が混雑している場合にも、該当するエレベーター号機の乗場まで利用者をスムーズに誘導することが可能な、エレベーターの乗場案内装置およびエレベーターを得ることを目的としている。
【課題を解決するための手段】
【０００８】
この発明に係るエレベーターの乗場案内装置は、各階床に設けられ、乗場呼び登録の入力を受け付ける乗場操作盤と、エレベーター号機ごとに各階床の乗場に設けられ、前記乗場の位置を知らせるための第一の誘導音を発報する誘導音発生装置とを備え、前記乗場操作盤に対して前記乗場呼び登録の入力があった場合に、当該乗場呼び登録に対して割り当てられたエレベーター号機に対応する前記誘導音発生装置が、前記第一の誘導音を発報する。
【発明の効果】
【０００９】
この発明に係るエレベーターの乗場案内装置によれば、第一の誘導音を用いて利用者を乗場に誘導することで、言語の違いに関わらず、乗場が混雑している場合にも、該当するエレベーター号機の乗場まで利用者をスムーズに誘導することができる。
【図面の簡単な説明】
【００１０】
【図１】この発明の実施の形態１に係るエレベーターの乗場案内装置の構成を示した平面図である。
【図２】この発明の実施の形態１に係るエレベーターの乗場案内装置における誘導音Ａおよび誘導音Ｂの発報タイミングを示したタイミングチャートである。
【図３】この発明の実施の形態１に係るエレベーターの乗場案内装置の処理の流れを示したフローチャートである。
【図４】この発明の実施の形態１に係るエレベーターに設置された１つのエレベーター号機の構成を示した構成図である。
【図５】この発明の実施の形態１に係るエレベーターの乗場案内装置のハードウェア構成を示した図である。
【図６】この発明の実施の形態４に係るエレベーターの乗場案内装置における誘導音Ａおよび誘導音Ｂの発報タイミングを示したタイミングチャートである。
【発明を実施するための形態】
【００１１】
実施の形態１．
この発明の実施の形態１に係るエレベーターの乗場案内装置は、エレベーターの利用者を、乗場操作盤および当該利用者に割り当てられたエレベーター号機の乗場まで案内する装置である。なお、本実施の形態１に係るエレベーターの乗場案内装置は、音声メッセージではなく、音声メッセージ以外の誘導音を用いて利用者を案内するため、他言語の利用者および視覚障がい者も含め、全ての利用者に対して有効な案内を提供できる。誘導音の例としては、例えば、電子音、ブザー音、メロディーなどが挙げられる。
【００１２】
以下、図１〜図４を用いて、本実施の形態１に係るエレベーターおよびエレベーターの乗場案内装置について説明する。図１は、本実施の形態１に係るエレベーター及びエレベーターの乗場案内装置の構成を示す平面図である。図２は、本実施の形態１に係るエレベーターの乗場案内装置における誘導音Ａおよび誘導音Ｂの発報タイミングを示したタイミングチャートである。図３は、本実施の形態１に係るエレベーターの乗場案内装置の処理の流れを示したフローチャートである。図４は、本実施の形態１に係るエレベーターに設けられたエレベーター号機の構成を示す構成図である。
【００１３】
図１に示すように、本実施の形態１に係るエレベーターにおいては、乗場１を構成する貫通通路に対して、その両側に３台ずつ、計６台のエレベーター号機４が設置されている。図１においては、これらのエレベーター号機４を、それぞれ、Ａ号機、Ｂ号機、Ｃ号機、Ｄ号機、Ｅ号機、Ｆ号機として示している。本実施の形態１に係るエレベーターにおいては、これらのエレベーター号機４が群管理制御されている。なお、エレベーター号機の台数は６台に限定されるものではなく、任意の台数であってよい。
【００１４】
図４は、本実施の形態１に係るエレベーターに設けられた複数のエレベーター号機４のうちの１つのエレベーター号機４の構成を示している。図４に示すように、エレベーター号機４ごとに、昇降路３１が設けられている。昇降路３１の上部には、機械室３２が設置されている。機械室３２には、巻上機３３が設置されている。巻上機３３は、駆動シーブ３４とそらせ車３５とを有している。駆動シーブ３４及びそらせ車３５には、巻上ロープ３６が巻き掛けられている。巻上ロープ３６の一端には、かご３７が接続されている。また、巻上ロープ３６の他端には、釣合おもり３８が接続されている。かご３７と釣合おもり３８とは、巻上機３３により昇降路３１内を昇降される。かご３７には、かごドア３９が設けられている。また、各階床の乗場１には、乗場ドア４０が設けられている。
【００１５】
機械室３２には、エレベーター号機４の運行を制御するかご制御装置４２が設けられている。かご制御装置４２は、各エレベーター号機４に対して、１対１対応で設けられている。また、各かご制御装置４２には、１つの群管理装置４３が接続されている。群管理装置４３は、６台のエレベーター号機の運行を群管理する。群管理装置４３は、後述する乗場操作盤２がエレベーターの利用者によって操作された場合に、当該操作に応じて乗場呼び登録を行う。以下では、この利用者による操作を、乗場呼び登録要求と呼ぶ。また、群管理装置４３は、当該乗場呼び登録要求に対する応答として、１つのエレベーター号機４を選択して割り当てる。割り当てられた当該エレベーター号機４に対応するかご制御装置４２は、群管理装置４３からの指令に従って、エレベーター号機４の運行を行う。
【００１６】
次に、本実施の形態１に係るエレベーターの乗場案内装置の構成について説明する。エレベーターの乗場案内装置は、乗場操作盤２と、誘導音発生装置３とを有している。
【００１７】
乗場操作盤２は、各階床に設置されている。乗場操作盤２は、例えば、図１に示すように、乗場１の入り口に設置される。具体的には、乗場操作盤２は、最も端に位置するエレベーター号機から、すなわち、図１の例ではＡ号機から、予め設定された距離だけ離間して設置される。乗場操作盤２は、乗場操作盤２の位置を利用者に知らせるために、誘導音Ａを発報する。乗場操作盤２は、利用者が乗場操作盤２を操作して行先階が入力されたときに、誘導音Ａの発報を一時的に停止させる。また、予め設定された条件が満たされた場合に、乗場操作盤２は、誘導音Ａの発報を再開させる。なお、予め設定された条件とは、例えば、利用者が入力した行先階に応じてエレベーター号機の割当てが行われた、あるいは、一定期間が経過した、等が挙げられる。乗場操作盤２の誘導音Ａの発報動作は、群管理装置４３により制御される。乗場操作盤２の操作パネルには、例えば、「０」〜「９」までのテンキーが配置されているか、あるいは、各階床ごとの階床ボタンが配置されている。利用者は、テンキーまたは階床ボタンを操作することにより、行き先階を入力して、乗場呼び登録要求を行う。乗場操作盤２は、当該乗場呼び登録要求を、群管理装置４３に送信する。
【００１８】
誘導音発生装置３は、図１に示すように、乗場１において、エレベーター号機４ごとに設置されている。誘導音発生装置３は、各エレベーター号機の乗場位置を利用者に知らせるために、誘導音Ｂを発報する。誘導音Ｂは、誘導音Ａと同じ音でもよいが、望ましくは、誘導音Ａと異なる音として設定される。誘導音発生装置３は、各エレベーター号機４の乗場に向かって誘導音Ｂが発報されるように、乗場ドア４０の位置から予め設定された範囲内に設置される。誘導音発生装置３は、例えば、乗場ドア４０が設けられている乗場壁に設置する。具体的には、誘導音発生装置３は、乗場ドア４０に隣接する乗場壁に配置してもよく、乗場ドア４０の上部の乗場壁に配置してもよい。あるいは、誘導音発生装置３は、乗場ドア４０の直前の床面に埋設してもよい。群管理装置４３が、利用者からの乗場呼び登録要求に対して、１つのエレベーター号機４を割り当てた場合に、当該エレベーター号機４に対応する誘導音発生装置３が、誘導音Ｂを発報する。これにより、利用者は、割り当てられたエレベーター号機４がいずれであるかを、誘導音Ｂによって容易に認識することができる。さらに、利用者は、誘導音Ｂの音源である誘導音発生装置３に向かって進むことで、当該エレベーター号機４の乗場に到達することができる。なお、誘導音発生装置３は、かご制御装置４２によって制御される。
【００１９】
次に、この発明の実施の形態１に係るエレベーターの乗場案内装置のハードウェア構成について説明する。図５は、本実施の形態１に係るエレベーターの乗場案内装置のハードウェア構成を示したブロック図である。本実施の形態１に係るエレベーターの乗場案内装置は、乗場操作盤２と、誘導音発生装置３と、群管理装置４３と、かご制御装置４２とを備えて構成されている。
【００２０】
かご制御装置４２は、ＣＰＵ５１と、ＲＯＭ５２と、ＲＡＭ５３と、入出力部５４とを備えている。入出力部５４は、送受信装置を備えて構成されている。ＲＯＭ５２には、かご制御装置４２の各機能を実現するためのプログラムが記憶されている。ＣＰＵ５１は、ＲＯＭ５２に格納されたプログラムを読み出して実行することにより、かご制御装置４２の各部の機能を実現する。
【００２１】
群管理装置４３は、ＣＰＵ５５と、ＲＯＭ５６と、ＲＡＭ５７と、入出力部５８とを備えている。入出力部５８は、送受信装置を備えて構成されている。ＲＯＭ５６には、群管理装置４３の各機能を実現するためのプログラムが記憶されている。ＣＰＵ５５は、ＲＯＭ５６に格納されたプログラムを読み出して実行することにより、群管理装置４３の各部の機能を実現する。
【００２２】
乗場操作盤２は、乗場呼び登録要求を受け付ける操作パネルを構成するパネル及び専用の処理回路と、誘導音Ａを発生させるためのスピーカー及び専用の処理回路とを備えて構成されている。
【００２３】
誘導音発生装置３は、誘導音Ｂを発生させるためのスピーカー及び専用の処理回路を備えて構成されている。
【００２４】
次に、図１〜図３を用いて、本実施の形態１に係るエレベーターの乗場案内装置の動作について説明する。
【００２５】
図１は、或る利用者が乗場操作盤２で行先階を入力することで乗場呼び登録要求を行い、当該乗場呼び登録要求に対して群管理装置４３がＢ号機を割り当てた例を示している。以下では、図１の例を用いて説明を行う。また、図２において、「乗場操作盤２」における「誘導音Ａ」の表示は乗場操作盤２の誘導音Ａの発報タイミングを示し、「ＨＯＰ操作」の表示は利用者からの乗場操作盤２への操作を示し、「割当」の表示は群管理装置４３による乗場呼び登録に対するエレベーター号機の割当て処理を示す。また、図２の「誘導音発生装置３」における「誘導音Ｂ」の表示は、誘導音発生装置３の誘導音Ｂの発報タイミングを示している。
【００２６】
図３に示すように、群管理装置４３は、乗場操作盤２の位置を利用者に知らせるために、乗場操作盤２から誘導音Ａを発報させる（ステップＳ１）。誘導音Ａは、図２に示すように、一定の間隔をおいて、周期的に発報される。
【００２７】
利用者は、誘導音Ａに案内されて、乗場操作盤２の設置位置に到着する。利用者は、乗場操作盤２に対する操作を行って行先階を入力し、乗場呼び登録の要求を行う。群管理装置４３は、乗場操作盤２への操作があったことを検知すると、乗場操作盤２に対して誘導音Ａを停止させるための停止指令を出力する（ステップＳ２）。また、群管理装置４３は、当該利用者からの乗場呼び登録要求に応じて、乗場呼び登録の処理を行う。さらに、群管理装置４３は、乗場呼び登録に対して、適切なエレベーター号機を割り当てて、割当信号を出力する。群管理装置４３からの割当信号は、該当するエレベーター号機４に対応するかご制御装置４２に送信される。
【００２８】
次に、群管理装置４３は、割当信号の送信後、乗場操作盤２に対して、誘導音Ａの発報を再開させるように指令を出す。当該指令に応じて、乗場操作盤２は、誘導音Ａを発報させる（ステップＳ３）。これにより、後続の他の利用者に対して、乗場操作盤２の位置を知らせることができる。
【００２９】
かご制御装置４２は、群管理装置４３からの割当信号の受信後、割り当てられたエレベーター号機４の乗場位置を利用者に知らせるために、誘導音発生装置３から誘導音Ｂを発報させる（ステップＳ４）。誘導音発生装置３は、上述したように、エレベーター号機４ごとに設置されており、対応するエレベーター号機４の乗場に向かって、誘導音Ｂを発報する。
【００３０】
次に、かご制御装置４２の制御により、割り当てられたエレベーター号機４が行先階まで走行し停止する。当該エレベーター号機４の戸開後に、かご制御装置４２は、誘導音発生装置３からの誘導音Ｂの発報を停止させる（ステップＳ５）。なお、誘導音Ｂによる発報の停止は、エレベーター号機４の戸開後ではなく、戸閉後に行うようにしてもよい。
【００３１】
このように、本実施の形態１では、エレベーターの利用者に対して、誘導音Ａという聴覚情報で乗場操作盤２の位置を知らせる。その結果、エレベーターの利用者が視覚障がい者の場合であっても、誘導音Ａに誘導されることで、乗場操作盤２までスムーズに到着することができる。
【００３２】
さらに、本実施の形態１では、エレベーターの利用者に対して、誘導音Ｂという聴覚情報で、利用者が登録要求した乗場呼び登録に対するエレベーター号機の乗場の位置を知らせる。その結果、エレベーターの利用者が視覚障がい者の場合であっても、誘導音Ｂに誘導されることで、該当するエレベーター号機の乗場までスムーズに到着することができる。
【００３３】
また、本実施の形態１においては、乗場呼び登録がなされた場合にのみ、乗場呼び登録に対して割り当てられたエレベーター号機４の乗場でのみ、誘導音Ｂを発報する。このように、誘導音Ｂを発報するタイミングを限定することで、利用者が誘導音Ｂによる誘導を認識しやすい。
【００３４】
さらに、本実施の形態１においては、図１のように、乗場操作盤２をＡ号機から予め設定された距離だけ離間させて設置している。その結果、乗場操作盤２の設置位置を探している利用者が、Ａ号機の到着を待っている別の利用者と接触する可能性を軽減させることができる。
【００３５】
さらに、本実施の形態１においては、図１のように、Ｂ号機は、Ａ号機の奥に設置されている。そのため、Ｂ号機に乗車する利用者Ｂは、Ａ号機の到着を待っている利用者Ａを避けて移動する必要がある。その結果、利用者Ｂは、移動中に、Ｂ号機の乗場位置が分からなくなる可能性がある。そこで、従来においては、視覚障がい者に割り当てるエレベーター号機を、乗場操作盤２に最寄りのＡ号機のみとしていた。一方、本実施の形態１では、Ｂ号機の乗場で誘導音Ｂが発報されている。その結果、利用者Ｂは、移動中に、Ｂ号機の乗場位置が分からなくなることが無い。そのため、本実施の形態１においては、利用者が視覚障がい者の場合であっても、Ａ号機以外のＢ〜Ｆ号機への割り当ても可能となり、エレベーターシステム全体の運行効率を上げることができる。
【００３６】
なお、本実施の形態１において、エレベーターの運行モードが予め設定された特定のモードの場合のみ、誘導音Ｂを発報させるようにしてもよい。その場合には、特定の利用者がエレベーターを利用する場合のみ、誘導音Ｂを発報させることも可能となる。その場合には、誘導音Ｂの発報の頻度が下がるため、乗場での音源の混在を軽減させることもできる。なお、予め設定された特定のモードは、例えば、視覚障がい者専用モード、他言語利用者専用モード等が挙げられる。特定のモードに切り替えたい利用者は、乗場操作盤２に設けられているモード切替ボタンを操作することで、特定のモードへの切替を行う。
【００３７】
実施の形態２．
本実施の形態２においては、上記の実施の形態１で説明した誘導音Ａおよび誘導音Ｂをサイン音から構成する。ここで、サイン音とは、ユーザに何らかの情報を提供することを目的として使用される人工音である。一般に、サイン音は、例えば、家電機器などの消費生活製品の操作確認音、駅のホームなどの公共空間での例えば列車の発着お知らせ音などに使用されている。
【００３８】
本実施の形態２において、誘導音Ａを構成するサイン音と、誘導音Ｂを構成するサイン音とは、同じ種類のサイン音に設定してもよいが、互いに異なる種類のサイン音に設定してもよい。サイン音は、その特性上、利用者の声に混ざりにくいため、利用者が聞き取りやすい。その結果、例えば混雑時に誘導音Ａと誘導音Ｂとを小さい音量で発生させた場合においても、それらの音を利用者が聞き分けしやすく、聞き取りにくさによる利用者の不快感を低減することができる。また、サイン音は、言語による音声と異なり、世界共通で使用することができる。なお、他の構成および動作については、上記の実施の形態１と同じであるため、ここでは、その説明を省略する。
【００３９】
以上のように、本実施の形態２においては、誘導音Ａと誘導音Ｂとを共にサイン音から構成している。そのため、利用者が誘導音Ａおよび誘導音Ｂを感知しやすく、かつ、あらゆる言語の利用者に対して誘導音を共通化できる。
【００４０】
実施の形態３．
本実施の形態３においては、上記の実施の形態２の誘導音Ａの発報周期と誘導音Ｂの発報周期とが互いに異なるように設定する場合について説明する。すなわち、誘導音Ａの発報周期を、Ｔ１秒とする。これにより、誘導音Ａは、Ｔ１秒ごとに周期的に発報される。一方、誘導音Ｂの発報周期を、Ｔ２秒とする。ここで、Ｔ２秒は、Ｔ１秒とは異なる値である。これにより、誘導音Ｂは、Ｔ２秒ごとに周期的に発報される。このように、誘導音Ａの発報周期Ｔ１と誘導音Ｂの発報周期Ｔ２とを互いに異なるように設定することで、誘導音Ａと誘導音Ｂとが同時に発報される頻度を低減できるので、誘導音Ａと誘導音Ｂとが混ざることを少なくすることができる。また、誘導音Ａと誘導音Ｂとが同時に発報される場合に備えて、誘導音Ａと誘導音Ｂとを異なる種類の音に設定しておくことがさらに望ましい。なお、他の構成および動作については、上記の実施の形態１及び２と同じであるため、ここでは、その説明を省略する。
【００４１】
本実施の形態３においては、誘導音Ａの発報周期Ｔ１と誘導音Ｂの発報周期Ｔ２とが互いに異なるように設定されている。そのため、誘導音Ａと誘導音Ｂとが同時に発報されることが少ない。また、誘導音Ａと誘導音Ｂとが同時に発報された場合であっても、少なくとも誘導音Ａと誘導音Ｂとが同時に発報されないタイミングを設けることができるので、利用者が聞き取りやすい。
【００４２】
実施の形態４．
本実施の形態４においては、上記の実施の形態３とは逆に、上記の実施の形態２の誘導音Ａの発報周期Ｔ１と誘導音Ｂの発報周期Ｔ２とが同じになるように設定する場合について説明する。但し、誘導音Ａの発報周期Ｔ１の開始タイミングと誘導音Ｂの発報周期Ｔ２の開始タイミングとが一致しないように、いずれか一方の開始タイミングを一定時間分だけシフトさせる。これにより、誘導音Ａと誘導音Ｂとが同時に発報しなくなる。特に、図６に示すように、開始タイミングのシフト量を発報周期の半分とすることが望ましい。すなわち、図６に示すように、誘導音Ａの発報周期と誘導音Ｂの発報周期とを共にＴ秒とする。このとき、誘導音Ａの開始タイミングを、誘導音Ｂの開始タイミングに対して、Ｔ／２秒シフトさせる。この場合、誘導音Ａと誘導音Ｂとが交互に発報し、同時に発報しない。その結果、利用者が、乗場操作盤２から、利用者に割り当てられたエレベーター号機４の乗場まで移動する時に、利用者の現在地と目的地との位置関係が把握しやすくなる。なお、他の構成および動作については、上記の実施の形態１および２と同じであるため、ここでは、その説明を省略する。
【００４３】
以上のように、本実施の形態４においては、誘導音Ａの発報周期と誘導音Ｂの発報周期とが同じ周期で、且つ、それぞれの開始タイミングが互いに異なるように設定されている。そのため、誘導音Ａと誘導音Ｂとが同時に発報されることがないので、利用者が聞き取りやすい。
【００４４】
実施の形態５．
本実施の形態５においては、誘導音発生装置３から発生される誘導音Ｂを、音声によるメッセージで構成する。すなわち、誘導音Ｂとして、例えば「Ｂ号機をご利用下さい」のように、音声メッセージを誘導音発生装置３から発生させる。あるいは、誘導音Ｂを、サイン音などから構成された誘導音と、音声メッセージとの組み合わせで構成する。これにより、誘導音Ｂを発声させている目的が、利用者にわかりやすくなる。誘導音Ｂで、乗場呼び登録に対して割り当てられたエレベーター号機名を発報すれば、利用者は、当該エレベーター号機名とそれに対応するエレベーター号機の乗場位置とを同時に理解することができる。なお、本実施の形態５において、誘導音Ａはサイン音とする。なお、他の構成および動作については、上記の実施の形態１〜４のいずれかと同じであるため、ここでは、その説明を省略する。
【００４５】
以上のように、本実施の形態５においては、誘導音発生装置３から発生される誘導音Ｂを、音声によるメッセージで構成している。このように、誘導音Ｂを音声メッセージとしたので、利用者は、誘導音Ｂを発報させている目的を容易に理解できる。また、利用者は、当該エレベーター号機名とそれに対応するエレベーター号機の乗場位置とを同時に理解することができる。
【００４６】
なお、上記の実施の形態１〜５においては、乗場操作盤２が、群管理装置４３の制御により動作すると説明したが、それに限定されない。すなわち、乗場操作盤２内にＣＰＵを設けておき、当該ＣＰＵの制御により、乗場操作盤２が誘導音Ａの発報の開始および停止を行うようにしてもよい。その場合には、乗場操作盤２は、利用者からの操作入力があった場合に、誘導音Ａの発報を停止し、その後、一定期間経過後に、誘導音Ａの発報を再び開始する。
【００４７】
なお、上記の実施の形態１〜５において、誘導音発生装置３から発報される誘導音Ｂを、エレベーター号機ごとに互いに異なる音にしてもよい。その場合には、サイン音を発報する発報パターンを変更したり、あるいは、音の振幅または周波数を調整したりすることで、エレベーター号機ごとに互いに異なる音に変更する。一般に、音の振幅を大きくすることで、音量を大きくでき、音の周波数を高くすることで、音の高さを高くすることができる。そのため、例えば、乗場操作盤２から遠い位置に設置されているエレベーター号機ほど、誘導音発生装置３から発報される誘導音Ｂの周波数を高くし、振幅を大きくすることで、乗場操作盤２の近くにいる利用者に対して、遠くの乗場で発報されている誘導音Ｂについても、聞き取りやすくすることができる。具体的には、Ａ号機およびＤ号機の乗場の誘導音Ｂよりも、Ｂ号機およびＥ号機の乗場の誘導音Ｂの方が、音量が大きく、かつ、高い音になるように、振幅および周波数を設定する。さらに、Ｂ号機およびＥ号機の乗場の誘導音Ｂよりも、Ｃ号機およびＦ号機の乗場の誘導音Ｂの方が、音量が大きく、かつ、高い音になるように、振幅および周波数を設定する。また、Ａ号機とＤ号機とで比較した場合、Ａ号機の誘導音Ｂよりも、Ｄ号機の乗場の誘導音Ｂの方が、音量が大きく、かつ、高い音になるように、振幅および周波数を設定する。同様に、Ｂ号機とＥ号機とで比較した場合、Ｂ号機の誘導音Ｂよりも、Ｅ号機の乗場の誘導音Ｂの方が、音量が大きく、かつ、高い音になるように、振幅および周波数を設定する。同様に、Ｃ号機とＦ号機とで比較した場合、Ｃ号機の誘導音Ｂよりも、Ｆ号機の乗場の誘導音Ｂの方が、音量が大きく、かつ、高い音になるように、振幅および周波数を設定する。このように、乗場操作盤２から遠い位置に設置されているエレベーター号機ほど、誘導音発生装置３から発報される誘導音Ｂの音量を大きくし、高い音になるように、周波数および振幅を適宜設定してもよい。
【符号の説明】
【００４８】
１  乗場、２  乗場操作盤、３  誘導音発生装置、４  エレベーター号機、４２  かご制御装置、４３  群管理装置。
【図１】
2019058551.tif 000003
【図２】
2019058551.tif 000004
【図３】
2019058551.tif 000005
【図４】
2019058551.tif 000006
【図５】
2019058551.tif 000007
【図６】
2019058551.tif 000008
【国際調査報告】
2019058551.tif 000009
2019058551.tif 000010
2019058551.tif 000011
2019058551.tif 000012